【手続補正書】
【提出日】平成17年9月13日(2005.9.13)
【手続補正１】
【補正対象書類名】特許請求の範囲
【補正対象項目名】全文
【補正方法】変更
【補正の内容】
【特許請求の範囲】
【請求項１】
光情報記録媒体に情報の記録及び／又は再生を行うための光情報記録再生装置であって、
光情報記録媒体に予め記録されている記録条件を読み出し、該記録条件に基づいて、試し書き記録動作のための記録条件の設定を行う試書記録条件設定手段と、
上記試書記録条件設定手段によって設定された試書記録条件に従って試し書き記録動作を行うように指示し、該試し書き記録動作が行われた後に、試し書き記録を再生した信号を検出し、該再生信号についての第一閾値に基づいて、第一記録条件を検出し設定する第一記録条件設定手段と、
上記第一記録条件設定手段によって設定された第一記録条件に対して、所定の演算処理を行い、第二記録条件を設定する第二記録条件設定手段と、
上記第二記録条件設定手段によって設定された第二記録条件に対して、所定の演算処理を行い、第三記録条件を設定する第三記録条件設定手段と、
上記第三記録条件設定手段によって設定された第三記録条件に従って試し書き記録動作を行うように指示し、該試し書き記録動作が行われた後に、該試し書き記録を再生した信号を検出し、該再生信号についての第二閾値に基づいて、第三記録条件の良否の判定を行う第三記録条件判定手段と、
上記第三記録条件判定手段によって良好と判定された場合、第二記録条件を最適記録条件として設定する最適記録条件設定手段と、を備えることを特徴とする光情報記録再生装置。
【請求項２】
上記第一記録条件とは、マージンの上限側の記録条件及び／又は下限側の記録条件であることを特徴とする請求項１に記載の光情報記録再生装置。
【請求項３】
上記第二記録条件設定手段が行う所定の演算処理とは、第一記録条件に対して所定係数を乗算する処理、または第一記録条件に対して所定量を加算する処理、または第一記録条件に対して所定量を減算する処理であることを特徴とする請求項１に記載の光情報記録再生装置。
【請求項４】
上記第三記録条件設定手段が行う所定の演算処理とは、第三記録条件をマージンの上限側の記録条件及び／又はマージンの下限側の記録条件に設定する処理であることを特徴とする請求項１に記載の光情報記録再生装置。
【請求項５】
上記第三記録条件設定手段が行う所定の演算処理とは、第二記録条件に対して所定係数を乗算する処理、または第二記録条件に対して所定量を加算する処理、または第二記録条件に対して所定量を減算する処理であることを特徴とする請求項１に記載の光情報記録再生装置。
【請求項６】
上記第一閾値は、上記第二閾値に比べて、再生信号がより悪化する方向に設定することを特徴とする請求項１に記載の光情報記録再生装置。
【請求項７】
上記第二記録条件設定手段は、さらに、設定された第二記録条件に従って試し書き記録動作が行われた後、該試し書き記録を再生した信号を検出し、該再生信号についての第三閾値に基づいて、第二記録条件の良否の判定を行うものであることを特徴とする請求項１に記載の光情報記録再生装置。
【請求項８】
上記第三閾値は、上記第二閾値に比べて、再生信号がより良化する方向に設定することを特徴とする請求項７に記載の光情報記録再生装置。
【請求項９】
上記記録条件は複数の記録パラメータで構成されており、上記試し書き記録動作では、少なくとも１つの記録パラメータを使用することを特徴とする請求項１〜８のいずれか１項に記載の光情報記録再生装置。
【請求項１０】
上記試書記録条件設定手段は、上記第一記録条件設定手段にて第一記録条件が検出されない場合、上記第二記録条件設定手段にて第二記録条件が設定されない場合、上記第三記録条件設定手段にて第三記録条件が設定されない場合、上記第三記録条件判定手段にて第三記録条件が良好でないと判定された場合のうち、いずれかの場合に、上記試し書き動作で使用していない少なくとも１つの記録パラメータに変化を加えて、試し書き記録動作のための記録条件の設定を行うものであることを特徴とする請求項９に記載の光情報記録再生装置。
【請求項１１】
請求項１〜１０のいずれか１項に記載の光情報記録再生装置を動作させる制御プログラムであって、コンピュータを上記の各手段として機能させるための制御プログラム。
【請求項１２】
請求項１１に記載の制御プログラムを記録したコンピュータ読み取り可能な記録媒体。
【請求項１３】
光情報記録媒体に情報の記録及び／又は再生を行うための光情報記録方法であって、
光情報記録媒体に予め記録されている記録条件を読み出し、該記録条件に基づいて、試し書き記録動作のための記録条件の設定を行う試書記録条件設定工程と、
上記試書記録条件設定工程において設定された試書記録条件に従って試し書き記録動作が行われた後に、該試し書き記録を再生した信号を検出し、該再生信号についての第一閾値に基づいて、第一記録条件を検出し設定する第一記録条件設定工程と、
上記第一記録条件設定工程において設定された第一記録条件に対して、所定の演算処理を行い、第二記録条件を設定する第二記録条件設定工程と、
上記第二記録条件設定工程において設定された第二記録条件に対して、所定の演算処理を行い、第三記録条件を設定する第三記録条件設定工程と、
上記第三記録条件設定工程において設定された第三記録条件に従って試し書き記録動作が行われた後に、該試し書き記録を再生した信号を検出し、該再生信号についての第二閾値に基づいて、第三記録条件の良否の判定を行う第三記録条件判定工程と、
上記第三記録条件判定工程によって良好と判定された場合、第二記録条件を最適記録条件として設定する最適記録条件設定工程と、を含むことを特徴とする光情報記録方法。
【手続補正２】
【補正対象書類名】明細書
【補正対象項目名】００１１
【補正方法】変更
【補正の内容】
【００１１】
本発明に係る光情報記録再生装置は、上記課題を解決するために、光情報記録媒体に情報の記録及び／又は再生を行うための光情報記録再生装置であって、光情報記録媒体に予め記録されている記録条件を読み出し、該記録条件に基づいて、試し書き記録動作のための記録条件の設定を行う試書記録条件設定手段と、上記試書記録条件設定手段によって設定された試書記録条件に従って試し書き記録動作を行うように指示し、該試し書き記録動作が行われた後に、試し書き記録を再生した信号を検出し、該再生信号についての第一閾値に基づいて、第一記録条件を検出し設定する第一記録条件設定手段と、上記第一記録条件設定手段によって設定された第一記録条件に対して、所定の演算処理を行い、第二記録条件を設定する第二記録条件設定手段と、上記第二記録条件設定手段によって設定された第二記録条件に対して、所定の演算処理を行い、第三記録条件を設定する第三記録条件設定手段と、上記第三記録条件設定手段によって設定された第三記録条件に従って試し書き記録動作を行うように指示し、該試し書き記録動作が行われた後に、該試し書き記録を再生した信号を検出し、該再生信号についての第二閾値に基づいて、第三記録条件の良否の判定を行う第三記録条件判定手段と、上記第三記録条件判定手段によって良好と判定された場合、第二記録条件を最適記録条件として設定する最適記録条件設定手段と、を備えることを特徴としている。
【手続補正３】
【補正対象書類名】明細書
【補正対象項目名】００２１
【補正方法】変更
【補正の内容】
【００２１】
それゆえ、上記の構成によれば、上記第二記録条件設定手段において設定された第二記録条件を用いて、試し書きを行い、再生信号の第三閾値に基づいて、第二記録条件の良否の判断を行うことになるが、ここで、第二閾値を、光ディスク装置において再生品質が確保できるレベルに設定し、第三閾値を第二閾値よりも再生品質の良化する方向に、例えば、ジッタであれば低めに設定しておけば、第二記録条件を光ディスク装置において再生品質が確保できるレベルよりも厳しいレベルで判定することができる。このため、更に高精度な記録条件設定が可能となるという効果を奏する。
【手続補正４】
【補正対象書類名】明細書
【補正対象項目名】００２５
【補正方法】変更
【補正の内容】
【００２５】
さらに、本発明に係る光情報記録方法は、光情報記録媒体に情報の記録及び／又は再生を行うための光情報記録方法であって、光情報記録媒体に予め記録されている記録条件を読み出し、該記録条件に基づいて、試し書き記録動作のための記録条件の設定を行う試書記録条件設定工程と、上記試書記録条件設定工程において設定された試書記録条件に従って試し書き記録動作が行われた後に、該試し書き記録を再生した信号を検出し、該再生信号についての第一閾値に基づいて、第一記録条件を検出し設定する第一記録条件設定工程と、上記第一記録条件設定工程において設定された第一記録条件に対して、所定の演算処理を行い、第二記録条件を設定する第二記録条件設定工程と、上記第二記録条件設定工程において設定された第二記録条件に対して、所定の演算処理を行い、第三記録条件を設定する第三記録条件設定工程と、上記第三記録条件設定工程において設定された第三記録条件に従って試し書き記録動作が行われた後に、該試し書き記録を再生した信号を検出し、該再生信号についての第二閾値に基づいて、第三記録条件の良否の判定を行う第三記録条件判定工程と、上記第三記録条件判定工程において良好と判定された場合、第二記録条件を最適記録条件として設定する最適記録条件設定工程と、を含むことを特徴としている。
【手続補正５】
【補正対象書類名】明細書
【補正対象項目名】００４７
【補正方法】変更
【補正の内容】
【００４７】
試書記録条件設定部２１は、光ディスクに予め記録されている記録条件を読み出し、該記録条件に基づいて、試し書き記録動作のための記録条件の設定を行うものである。第一記録条件設定部２２は、試書記録条件設定部２１によって設定された試書記録条件に従って試し書き記録動作を行うように指示し、該試し書き記録動作が行われた後に、試し書き記録を再生した信号を検出し、該再生信号についての第一閾値に基づいて、第一記録条件を検出し設定するものである。また、第二記録条件設定部２３は、第一記録条件設定部２２によって設定された第一記録条件に対して、所定の演算処理を行い、第二記録条件を設定するものである。第三記録条件設定部２４は、第二記録条件設定部２３によって設定された第二記録条件に対して、所定の演算処理を行い、第三記録条件を設定するものである。第三記録条件判定部２５は、第三記録条件設定部２４によって設定された第三記録条件に従って試し書き記録動作を行うように指示し、該試し書き記録動作が行われた後に、該試し書き記録を再生した信号を検出し、該再生信号についての第二閾値に基づいて、第三記録条件の良否の判定を行うものである。最適記録条件設定部２６は、第三記録条件判定部２５によって良好と判定された第二記録条件を最適記録条件として設定するものである。
【手続補正６】
【補正対象書類名】明細書
【補正対象項目名】００５２
【補正方法】変更
【補正の内容】
【００５２】
まず、第三記録条件設定部２４が、設定された第二記録条件（中心記録条件）Ｐｃに対して、所定量の記録パワーΔＰｈを加算し、第三記録条件を設定する。そして、この第三記録条件の記録パワーにて試し書きが行われ、第三記録条件判定部２５によって再生信号が検出される。このとき、第三記録条件判定部２５が検出した再生信号のジッタが所定の第二閾値Ａ１よりも小さい場合、第三記録条件判定部２５は、第二記録条件の中心記録パワーＰｃは、マージンの確保された記録パワーであると判断（判定）する。次いで、最適記録条件設定部２６が、この第二記録条件の中心記録パワーＰｃを最適記録パワーとして設定する。なお、ここでは第三記録条件設定部２４が行う所定の演算処理として、所定量ΔＰｈを加算する処理について説明するとともに、該演算処理した記録パワーでの試し書きにより、高記録パワー側のマージンを確認する動作について説明したが、設定された第二記録条件（中心記録条件）Ｐｃに対して、所定量ΔＰｌを減算した記録パワーにより下限側（低記録パワー側）のマージンを確認して、中心記録パワーＰｃの判断を行ってもよい。また、第二閾値Ａ１を、光ディスク装置１において再生品質が確保できるレベルに設定しておけば、再生品質の悪化を防ぐことができる。また、第一閾値Ａ０を第二閾値Ａ１よりも再生品質が悪化する方向に、例えば、ジッタであれば高めに設定しておけば、限界条件を早めに検出することができ、記録回数を低減させることができる。
【手続補正７】
【補正対象書類名】明細書
【補正対象項目名】００５８
【補正方法】変更
【補正の内容】
【００５８】
まず、試書記録条件設定部２１が、光ヘッド１１、再生回路１５を介して光ディスク１０に記録されている記録条件を読み出す（ステップ１、以下単にステップを“Ｓ”と称する）。次に、試書記録条件設定部２１が、読み出した記録条件を試し書き記録条件として装置に設定する（Ｓ２）。続いて、第一記録条件設定部２２が後述するＡの限界条件（第一記録条件）検出処理を行う（Ｓ３）。Ａの処理においてＯＫが返ってきた場合（Ｓ４）、第二記録条件設定部２３が後述するＢの中心記録条件（第二記録条件）設定処理を行う（Ｓ５）。Ｂの処理においてＯＫが返ってきた場合（Ｓ６）、第三記録条件設定部２４と第三記録条件判定部２５とが後述するＣのマージン確認処理（第三記録条件設定処理および第三記録条件判定処理）を行う（Ｓ７）。Ｃの処理においてＯＫが返ってきた場合（Ｓ８）、最適記録条件が得られたとして、最適記録条件設定部２６がこの第二記録条件を最適記録条件として設定し、処理を終了させる。Ｓ４、Ｓ６、Ｓ８のいずれかで、ＮＧが返ってきた場合、最適な記録条件が得られなかったとして、エラー表示を行い（Ｓ９）、記録条件設定の動作を終了する。なお、ここではＳ９において、エラーを表示し、記録条件設定の動作を終了しているが、別のトラックに移動を行い、再度Ｓ１から記録条件設定の動作を開始してもよい。
【手続補正８】
【補正対象書類名】明細書
【補正対象項目名】００６１
【補正方法】変更
【補正の内容】
【００６１】
次に、図１２に「Ｃのマージン確認処理（第三記録条件設定処理および第三記録条件判定処理）」について示す。まず、第三記録条件設定部２４は、Ｂの処理で設定された第二記録条件（中心記録条件）に対して所定の演算処理を行う（Ｓ３１）。次に、第三記録条件設定部２４は、該所定の演算処理により設定された記録条件でテストパターンを記録する（Ｓ３２）。続いて、第三記録条件判定部２５は、記録されたテストパターンの再生を行う（Ｓ３３）。そして第三記録条件判定部２５は、このとき検出した再生信号について第二閾値と比較することにより、該再生信号が所定条件を満たしているかどうかの判定を行う（Ｓ３４）。満たしていると判定した場合は、第三記録条件判定部２５はその結果を最適記録条件設定部２６に出力し、最適記録条件設定部２６がこの第二記録条件を最適記録条件として設定し（Ｓ３５）、Ｃの処理としてＯＫを返し処理を終了させる。一方、Ｓ３４において、第三記録条件判定部２５が所定条件を満たしていないと判定した場合、Ｃの処理としてＮＧを返す。なお、上記Ｓ３１において行う「所定の演算処理」としては、例えば、上述の所定量（ΔＰｈ）を加算する処理を挙げることができるが、これに限定されるものでない。
【手続補正９】
【補正対象書類名】明細書
【補正対象項目名】００７８
【補正方法】変更
【補正の内容】
【００７８】
さらに、本発明には、光情報記録媒体に情報の記録及び／又は再生を行うための光情報記録方法であって、光情報記録媒体に予め記録されている記録条件を読み出し、該記録条件に基づいて、試し書き記録動作のための記録条件の設定を行う試書記録条件設定工程と、上記試書記録条件設定工程において設定された試書記録条件に従って試し書き記録動作が行われた後に、該試し書き記録を再生した信号を検出し、該再生信号についての第一閾値に基づいて、第一記録条件を検出し設定する第一記録条件設定工程と、上記第一記録条件設定工程において設定された第一記録条件に対して、所定の演算処理を行い、第二記録条件を設定する第二記録条件設定工程と、上記第二記録条件設定工程において設定された第二記録条件に対して、所定の演算処理を行い、第三記録条件を設定する第三記録条件設定工程と、上記第三記録条件設定工程において設定された第三記録条件に従って試し書き記録動作が行われた後に、該試し書き記録を再生した信号を検出し、該再生信号についての第二閾値に基づいて、第三記録条件の良否の判定を行う第三記録条件判定工程と、上記第三記録条件判定工程において良好と判定された第二記録条件を最適記録条件として設定する最適記録条件設定工程と、を含む光情報記録方法も含まれる。すなわち、試書記録条件設定工程は試書記録条件設定部２１によって行われ、第一記録条件設定工程は第一記録条件設定部２２によって行われ、第二記録条件設定工程は第二記録条件設定部２３によって行われ、第三記録条件設定工程は第三記録条件設定部２４によって行われ、第三記録条件判定工程は第三記録条件判定部２５によって行われ、最適記録条件設定工程は最適記録条件設定部２６によって行われることになる。